(57)【要約】【課題】作業者に負担をかけることなく、表示候補になる画像を表示することができる射出成形機の表示装置を提供すること。【解決手段】所定の画面を表示可能であるとともに、次に遷移する画面の候補を表示候補として表示可能な表示部１００を備える射出成形機２００の表示装置１であって、表示中の所定の画面に関して実施される動作を動作情報として取得する動作情報取得部１３と、取得した動作情報に基づいて、表示中の所定の画面に対する動作を集計する集計部１６と、集計された結果に基づいて、表示候補となる画面の候補を決定する表示候補決定部１７と、表示部１００に、所定の画面とともに決定された表示候補を表示する表示制御部１８と、を備える。【選択図】図２
2020104395.tif 000002
【特許請求の範囲】
【請求項１】
所定の画面を表示可能であるとともに、次に遷移する画面の候補を表示候補として表示可能な表示部を備える射出成形機の表示装置であって、
表示中の所定の画面に関して実施される動作を動作情報として取得する動作情報取得部と、
取得した動作情報に基づいて、表示中の所定の画面に関する動作を集計する集計部と、
集計された結果に基づいて、表示候補となる画面の候補を決定する表示候補決定部と、
前記表示部に、所定の画面とともに決定された表示候補を表示する表示制御部と、
を備える射出成形機の表示装置。
【請求項２】
前記集計部は、前記動作情報として、所定の画面に関して入力された操作の回数と、所定の画面に関して一定時間あたりに入力された操作の回数と、所定の画面の表示時間と、所定の時間内に所定の画面を表示した回数と、の少なくとも１つに基づいて、表示中の所定の画面に関する動作を集計する請求項１に記載の射出成形機の表示装置。
【請求項３】
前記集計部は、前記動作情報に含まれるそれぞれの回数及び表示時間に対して、重みづけをするとともに、重みづけの結果に基づいて、表示中の所定の画面に関する動作を集計する請求項２に記載の射出成形機の表示装置。
【請求項４】
前記集計部は、前記動作情報として、所定の画面と、所定の画面から次に遷移した画面との組み合わせの回数に基づいて、表示中の所定の画面に関する動作を集計する請求項１に記載の射出成形機の表示装置。
【請求項５】
前記射出成形機の運転状態を取得する運転状態取得部をさらに備え、
前記表示候補決定部はさらに、取得された運転状態に応じて表示候補となる画面の候補を決定する請求項１から４のいずれか一項に記載の射出成形機の表示装置。
【請求項６】
前記射出成形機を操作する操作者を識別する識別部をさらに備え、
前記表示候補決定部は、前記識別部により識別された操作者ごとに表示候補を決定する請求項１から５のいずれか一項に記載の射出成形機の表示装置。
【請求項７】
前記表示制御部は、前記表示部に、決定された表示候補をリスト状又はストリップ状に表示する請求項１から６のいずれか一項に記載の射出成形機の表示装置。
【請求項８】
前記表示候補決定部は、前記集計部により集計された結果と、過去に前記集計部により集計された結果の履歴とに基づいて次の遷移先を決定するとともに、決定された遷移先となる画面の候補を表示候補とする請求項１から７のいずれか一項に記載の射出成形機の表示装置。
【発明の詳細な説明】
【技術分野】
【０００１】
本発明は、射出成形機の表示装置に関する。
【背景技術】
【０００２】
従来より、射出成形機は、例えば、樹脂等を射出成形する工作機械である。射出成形機の動作に際して、射出成形機の動作に関する値が予め射出成形機に設定される。射出成形機は、設定された値に基づいて動作する。
【０００３】
ところで、射出成形機の表示装置に表示される画面には、多くの種類の画面がある。例えば、射出成形機の表示装置に表示される画面の種類として、５０種類の画面がある。これらの画面の中から、次に遷移する画面を探し出して選択することは、非常に手間がかかる。そこで、射出成形機の表示装置に表示される表示画面の選択に際して、作業者の負担を軽減できる射出成形機の制御装置が提案されている（例えば、特許文献１参照）。
【先行技術文献】
【特許文献】
【０００４】
【特許文献１】国際公開第２０１４／１９２０４９号公報
【発明の概要】
【発明が解決しようとする課題】
【０００５】
特許文献１に記載の制御装置では、表示画像を選択するための複数の表示画像選択ボタンが設けられる。複数の表示画像選択ボタンは、表示画像を表示するために、表示部に表示可能に構成される。そして、作業者は、表示画像選択ボタンをカスタマイズすることで、所望の表示画像選択ボタンを表示部に表示させることができる。
【０００６】
しかしながら、特許文献１の制御装置では、表示画像選択ボタンをカスタマイズするために、操作者が表示画像を選択する機会を設ける必要がある。また、表示画像選択ボタンをアップデートする際にも、改めてカスタマイズするための機会を設ける必要があった。そこで、作業者に負担をかけることなく、表示候補になる画像を表示することができれば好適である。
【０００７】
本発明は、作業者に負担をかけることなく、表示候補になる画像を表示することができる射出成形機の表示装置を提供することを目的とする。
【課題を解決するための手段】
【０００８】
（１）  本発明は、所定の画面を表示可能であるとともに、次に遷移する画面の候補を表示候補として表示可能な表示部（例えば、後述の表示部１００）を備える射出成形機（例えば、後述の射出成形機２００）の表示装置（例えば、後述の表示装置１）であって、表示中の所定の画面に関して実施される動作を動作情報として取得する動作情報取得部（例えば、後述の動作情報取得部１３）と、取得した動作情報に基づいて、表示中の所定の画面に関する動作を集計する集計部（例えば、後述の集計部１６）と、集計された結果に基づいて、表示候補となる画面の候補を決定する表示候補決定部（例えば、後述の表示候補決定部１７）と、前記表示部に、所定の画面とともに決定された表示候補を表示する表示制御部（例えば、後述の表示制御部１８）と、を備える射出成形機の表示装置に関する。
【０００９】
（２）  また、上記（１）に記載された射出成形機の表示装置において、前記集計部は、前記動作情報として、所定の画面に関して入力された操作の回数と、所定の画面に関して一定時間あたりに入力された操作の回数と、所定の画面の表示時間と、所定の時間内に所定の画面を表示した回数と、の少なくとも１つに基づいて、表示中の所定の画面に関する動作を集計するのが好ましい。
【００１０】
（３）  また、上記（２）に記載の射出成形機の表示装置において、前記集計部は、前記動作情報に含まれるそれぞれの回数及び表示時間に対して、重みづけをするとともに、重みづけの結果に基づいて表示中の所定の画面に関する動作を集計するのが好ましい。
【００１１】
（４）  また、上記（１）に記載の射出成形機の表示装置において、前記集計部は、前記動作情報として、所定の画面と、所定の画面から次に遷移した画面との組み合わせの回数に基づいて、表示中の所定の画面に関する動作を集計するのが好ましい。
【００１２】
（５）  また、上記（１）から（４）のいずれかに記載の射出成形機の表示装置は、前記射出成形機の運転状態を取得する運転状態取得部（例えば、後述の運転状態取得部１９）をさらに備え、前記表示候補決定部はさらに、取得された運転状態に応じて表示候補となる画面の候補を決定するのが好ましい。
【００１３】
（６）  また、上記（１）から（５）のいずれかに記載の射出成形機の表示装置は、前記射出成形機を操作する操作者を識別する識別部（例えば、後述の識別部２０）をさらに備え、前記表示候補決定部は、前記識別部により識別された操作者ごとに表示候補を決定するのが好ましい。
【００１４】
（７）  また、上記（１）から（６）のいずれかに記載の射出成形機の表示装置において、前記表示制御部は、前記表示部に、決定された表示候補をリスト状又はストリップ状に表示するのが好ましい。
【００１５】
（８）  また、上記（１）から（７）のいずれかに記載の射出成形機の表示装置において、前記表示候補決定部は、前記集計部により集計された結果と、過去に前記集計部により集計された結果の履歴とに基づいて次の遷移先を決定するとともに、決定された遷移先となる画面の候補を表示候補とするのが好ましい。
【発明の効果】
【００１６】
本発明によれば、作業者に負担をかけることなく、表示候補になる画像を表示することができる射出成形機の表示装置を提供することができる。
【図面の簡単な説明】
【００１７】
【図１】本発明の第１実施形態に係る射出成形機の表示装置を示す概略構成図である。
【図２】第２実施形態の射出成形機の表示装置を示すブロック図である。
【図３】第２実施形態の射出成形機の表示装置の表示制御部によって表示部に表示される画面を示す概略図である。
【図４】第２実施形態の射出成形機の表示装置の処理の流れを示すフローチャートである。
【図５】本発明の第３実施形態に係る射出成形機の表示装置を示すブロック図である。
【図６】本発明の第４実施形態に係る射出成形機の表示装置を示すブロック図である。
【図７】本発明の第５実施形態に係る射出成形機の表示装置の処理の流れを示すフローチャートである。
【図８】第５実施形態の射出成形機の表示装置の決定モデルを示す概念図である。
【発明を実施するための形態】
【００１８】
以下、本発明の一実施形態に係る射出成形機２００の表示装置１について、図１〜図８を参照して説明する。
まず、射出成形機２００及び射出成形機２００の表示装置１の概要について説明する。
【００１９】
射出成形機２００は、例えば、高温で溶融した樹脂を金型に注入した上で、樹脂を冷却することで製品（成形品）を製造する機械である。射出成形機２００を用いて製品を製造する場合、射出成形機２００は、予め設定された値（設定値）に基づいて動作することで、より好適な状態の製品を製造することができる。設定値の調整及び決定は、例えば、射出成形機２００を制御する操作者Ｍからの射出成形機２００への値の入力及び設定の決定入力等に基づいて実施される。
【００２０】
射出成形機２００への値の入力及び決定入力は、例えば、射出成形機２００に接続される表示装置１を用いて実行される。具体的には、射出成形機２００の表示装置１は、複数の画面を遷移させて表示させることで、操作者Ｍからの値の入力及び決定入力を受け付ける。射出成形機２００の表示装置１は、表示中の画面内に、次の遷移先の画面となる表示候補を表示するとともに、操作者Ｍに表示候補のうちから次の画面を選択させることで、現在表示中の画面から、選択された画面に表示を切り替える。以下の各実施形態において、射出成形機２００の表示装置１は、例えば、総じて５０種類以上の画面から、表示中の画面に関連性の高い少なくとも１つの画面を表示候補として表示するものである。
【００２１】
［第１実施形態］
次に、本発明の第１実施形態に係る射出成形機２００の表示装置１について、図１〜図４を参照して説明する。
本実施形態に係る射出成形機２００の表示装置１は、図１に示すように、射出成形機２００に接続させて配置される。射出成形機２００の表示装置１は、所定の画面を表示可能であるとともに、次に遷移する画面の候補を表示候補として表示可能な表示部１００を備える。また、射出成形機２００の表示装置１は、図２に示すように、入力部１１と、画像格納部１２と、動作情報取得部１３と、設定部１４と、動作情報格納部１５と、集計部１６と、表示候補決定部１７と、表示制御部１８と、を備える。
【００２２】
表示部１００は、例えば、モニタ等の画像出力装置である。表示部１００は、射出成形機２００に関連する各種画面を表示可能に構成される。表示部１００は、例えば、射出成形機２００への設定値の入力用画面を表示する。また、表示部１００は、例えば、射出成形機２００の運転状況を示す画面を表示する。本実施形態において、表示部１００は、３つの画面から構成される。表示部１００は、例えば、運転状況等を示す２つの画面１０１，１０２と、表示候補を示す１つの画面１０３とから構成される。
【００２３】
入力部１１は、例えば、キーボードやマウス等の入力装置や、表示部１００と一体に構成されるタッチセンサ等である。入力部１１は、射出成形機２００を操作する操作者Ｍからの設定値の入力及び設定の決定入力等を受け付ける。
【００２４】
画像格納部１２は、例えば、ハードディスク等の二次記憶媒体である。画像格納部１２は、表示部１００に表示するための複数の画面の情報を格納する。画像格納部１２は、例えば、射出成形機２００の動作制御又は状況確認に用いられる複数の画面の情報を格納する。
【００２５】
動作情報取得部１３は、例えば、ＣＰＵ（Ｃｅｎｔｒａｌ  Ｐｒｏｃｅｓｓｉｎｇ  Ｕｎｉｔ）が動作することで実現される。動作情報取得部１３は、表示中の所定の画面に関して実施される動作を動作情報として取得する。動作情報取得部１３は、例えば、表示されている画面に関して入力された操作の回数を動作情報として取得する。動作情報取得部１３は、例えば、所定の画面に関して一定時間あたりに入力された操作の回数（単位時間あたりの平均操作回数）を取得する。動作情報取得部１３は、例えば、所定の画面の表示時間を動作情報として取得する。また、動作情報取得部１３は、例えば、所定の時間内に所定の画面を表示した回数を動作情報として取得する。
【００２６】
設定部１４は、例えば、ＣＰＵが動作することで実現される。設定部１４は、入力部１１に接続される。また、設定部１４は、射出成形機２００に接続される。設定部１４は、入力部１１によって入力された設定値や、決定入力を射出成形機２００に設定する。
【００２７】
動作情報格納部１５は、例えば、ハードディスク等の二次記憶媒体である。動作情報格納部１５は、動作情報取得部１３によって取得した動作情報を格納する。
【００２８】
集計部１６は、例えば、ＣＰＵが動作することで実現される。集計部１６は、取得した動作情報に基づいて、表示中の所定の画面に関する動作を集計する。集計部１６は、例えば、表示されている画面に関して入力された操作の回数と、所定の画面に関して一定時間あたりに入力された操作の回数と、所定の画面の表示時間と、所定の時間内に所定の画面を表示した回数と、の少なくとも１つに基づいて、表示中の所定の画面に関する動作を集計する。集計部１６は、取得された動作情報に含まれる所定の画面の表示中に実行された動作を点数化して集計する。集計部１６は、表示されている画面に関して入力された操作の回数と、所定の画面に関して一定時間あたりに入力された操作の回数と、所定の画面の表示時間と、所定の時間内に所定の画面を表示した回数と、の少なくとも１つを所定の画面ごとに点数化して集計する。具体的には、集計部１６は、動作情報に含まれるそれぞれの回数及び表示時間の少なくとも１つに対して所定の係数を乗算することで、重みづけをした表示中の画面に関する動作を集計する。
【００２９】
表示候補決定部１７は、例えば、ＣＰＵが動作することで実現される。表示候補決定部１７は、集計された結果に基づいて、表示候補となる画面の候補を決定する。表示候補決定部１７は、例えば、集計部１６で集計された点数の高い順に、少なくとも１つの画面を表示候補となる画面の候補として決定する。本実施形態において、表示候補決定部１７は、５から１０個の画面を表示候補となる画面の候補として決定する。表示候補決定部１７は、例えば、表示候補となる画面の候補として、画像格納部１２に格納された画面のサムネイルを読み出す。表示候補決定部１７は、表示制御部１８に読み出したサムネイルを送る
【００３０】
表示制御部１８は、例えば、ＣＰＵが動作することで実現される。表示制御部１８は、表示部１００に、所定の画面ととともに、決定された表示候補を表示する。また、表示制御部１８は、操作者Ｍによって選択された画面を遷移先として表示する。表示制御部は、表示部１００に、決定された表示候補をリスト状又はストリップ状に表示する。例えば、表示制御部１８は、図３に示すように、表示候補をリスト化して表示する。
【００３１】
次に、本実施形態の射出成形機２００の表示装置１の動作について、図４のフローチャートを参照して説明する。
まず、操作者Ｍにより、表示する画面が選択される（ステップＳ１）。入力部１１は、操作者Ｍからの画面の選択を受け付ける。入力部１１は、受け付けた画面の選択を表示制御部１８に送る。
【００３２】
次いで、表示制御部１８は、選択された画面を表示部１００に表示する（ステップＳ２）。表示制御部１８は、例えば、受け付けた画面の選択によって選択された画面の情報を画像格納部１２から読み出して、その画面を表示部１００に表示する。
【００３３】
次いで、表示部１００に表示する画面とともに表示する表示候補が既に決定されているか否かが判断される（ステップＳ３）。表示候補決定部１７が表示候補となる画面の候補を既に決定している場合、処理は、ステップＳ４に進む（ステップＳ３：ＹＥＳ）。一方、表示候補決定部１７が表示候補となる画面の候補を未だ決定していない場合、処理は、ステップＳ５に進む（ステップＳ３：ＮＯ）。
【００３４】
ステップＳ４において、表示制御部１８は、選択された所定の画面とともに、表示候補を表示する。表示制御部１８は、例えば、画面１０１，１０２に選択された所定の画面を表示する。また、表示制御部１８は、表示候補決定部１７によって既に決定されている表示候補となる複数の画面について、画面１０３に表示する。次いで、処理は、ステップＳ５に進む。
【００３５】
ステップＳ５において、動作情報取得部１３は動作情報を取得する。動作情報取得部１３は、表示部１００に表示されている画面に関する動作を、動作情報として取得する。次いで、動作情報取得部１３は、取得した動作情報を動作情報格納部１５に格納する（ステップＳ６）。
【００３６】
次いで、動作情報を集計するとともに、表示候補を決定するか否かが判断される（ステップＳ７）。表示候補を決定する場合、処理は、ステップＳ８に進む（ステップＳ７：ＹＥＳ）。表示候補を決定しない場合、処理は、ステップＳ１０に進む（ステップＳ７：ＮＯ）。
【００３７】
ステップＳ８において、集計部１６は、所定の画面ごとに、動作情報を集計する。集計部１６は、所定の画面ごとに行われた動作について、点数化することで動作情報を集計する。集計部１６は、集計した結果を表示候補決定部１７に送る。
【００３８】
次いで、表示候補決定部１７は、表示候補となる画面の候補を決定する（ステップＳ９）。表示候補決定部１７は、集計部１６によって集計された集計結果に基づいて、表示候補となる画面の候補を決定する。表示候補決定部１７は、例えば、点数化された集計結果のうち、点数の高い側から所定の数の画面を表示候補として決定する。次いで、処理は、ステップＳ１０に進む。
【００３９】
ステップＳ１０において、次に表示する画面の選択があるか否かが判断される。入力部１１が次に表示する画面の選択を受け付けた場合、処理は、ステップＳ２に戻る。一方、入力部１１が終了する選択を受け付けた場合、本フローによる処理は、終了する。
【００４０】
以上の本実施形態に係る射出成形機２００の表示装置１によれば、以下の効果を奏する。
（１）射出成形機２００の表示装置１は、所定の画面を表示可能であるとともに、次に遷移する画面の候補を表示候補として表示可能な表示部１００を備える射出成形機２００の表示装置１であって、表示中の所定の画面に関して実施される動作を動作情報として取得する動作情報取得部１３と、取得した動作情報に基づいて、表示中の所定の画面に関する動作を集計する集計部１６と、集計された結果に基づいて、表示候補となる画面の候補を決定する表示候補決定部１７と、表示部１００に、所定の画面とともに決定された表示候補を表示する表示制御部１８と、を備える。これにより、作業者が表示装置１を動作させるだけで、表示候補となる画面の候補を決定することができる。したがって、作業者に負担をかけることなく、表示候補になる画像を表示することができる。
【００４１】
（２）集計部１６は、動作情報として、所定の画面に関して入力された操作の回数と、所定の画面に関して一定時間あたりに入力された操作の回数と、所定の画面の表示時間と、所定の時間内に所定の画面を表示した回数と、の少なくとも１つに基づいて、表示中の所定の画面に関する動作を集計する。これにより、射出成形機２００を動作させる際に用いられる画面の使用状況について集計することができるので、表示候補として表示する画面について、作業者の作業内容により近い画面を提示することができる。
【００４２】
（３）集計部１６は、動作情報に含まれるそれぞれの回数及び表示時間に対して、重みづけをするとともに、重みづけの結果に基づいて、表示中の所定の画面に関する動作を集計する。これにより、射出成形機２００の状況等に応じて集計結果を変更することができるので、より柔軟性の高い装置を提供することができる。
【００４３】
（４）表示制御部１８は、表示部１００に、決定された表示候補をリスト状又はストリップ状に表示する。これにより、表示候補を作業者にわかりやく表示することができる。
【００４４】
［第２実施形態］
次に、本発明の第２実施形態に係る射出成形機２００の表示装置１について説明する。第２実施形態の説明にあたって、前述の実施形態と同一の構成要件については同一符号を付し、その説明を省略もしくは簡略化する。
第２実施形態に係る射出成形機２００の表示装置１は、集計部１６が、動作情報として、所定の画面と所定の画面から次に遷移した画面との組み合わせの回数に基づいて、表示中の所定の画面に対する動作を集計する点で、第１実施形態とは異なる。
【００４５】
集計部１６は、例えば、所定の画面ごとに、次に遷移した画面の遷移回数を集計する。集計部１６は、遷移回数を集計結果として、表示制御部１８に送る。
【００４６】
以上の本実施形態に係る射出成形機２００の表示装置１によれば、以下の効果を奏する。
（５）集計部１６は、動作情報として、所定の画面と、所定の画面から次に遷移した画面との組み合わせの回数に基づいて、表示中の所定の画面に関する動作を集計する。これにより、一連の操作の流れに基づいて表示候補となる画面の候補を決定することができる。したがって、射出成形機２００の制御において、柔軟性を向上することができる。
【００４７】
［第３実施形態］
次に、本発明の第３実施形態に係る射出成形機２００の表示装置１について、図５を参照して説明する。第３実施形態の説明にあたって、前述の実施形態と同一の構成要件については同一符号を付し、その説明を省略もしくは簡略化する。
第３実施形態に係る射出成形機２００の表示装置１は、図５に示すように、運転状態取得部１９をさらに備える点で、第１及び第２実施形態と異なる。また、第３実施形態に係る射出成形機２００の表示装置１は、表示候補決定部１７がさらに、取得された運転状態に応じて表示候補となる画面の候補を決定する点で、第１及び第２実施形態と異なる。
【００４８】
運転状態取得部１９は、例えば、ＣＰＵが動作することで実現される。運転状態取得部１９は、射出成形機２００の運転状態を取得する。運転状態取得部１９は、例えば、運転状態として、運転中、設定中、メンテナンス中等の状態を取得する。運転状態取得部１９は、取得した運転状態を表示候補決定部１７に送る。
【００４９】
表示候補決定部１７は、運転状態ごとに、表示候補となる画面の候補を決定する。表示候補決定部１７は、射出成形機２００が運転中、設定中、メンテナンス中等の状況ごとに、表示候補となる画面の候補を決定する。
【００５０】
以上の本実施形態に係る射出成形機２００の表示装置１によれば、以下の効果を奏する。
（６）射出成形機２００の表示装置１は、射出成形機２００の運転状態を取得する運転状態取得部１９をさらに備え、表示候補決定部１７はさらに、取得された運転状態に応じて表示候補となる画面の候補を決定する。これにより、より状況に応じた表示候補となる画面の候補を決定することができる。
【００５１】
［第４実施形態］
次に、本発明の第４実施形態に係る射出成形機２００の表示装置１について、図６を参照して説明する。第４実施形態の説明にあたって、前述の実施形態と同一の構成については同一符号を付し、その説明を省略又は簡略化する。
第４実施形態に係る射出成形機２００の表示装置１は、図６に示すように、識別部２０をさらに備える点で、第１から第３実施形態と異なる。また、第４実施形態に係る射出成形機２００の表示装置１は、集計部１６が、識別された操作者Ｍごとに、動作情報を集計する点で、第１から第３実施形態と異なる。また、第４実施形態に係る射出成形機２００の表示装置１は、表示候補決定部１７は、識別された操作者Ｍごとに表示候補を決定する点で、第１実施形態から第３実施形態と異なる。
【００５２】
以上の本実施形態に係る射出成形機２００の表示装置１によれば、以下の効果を奏する。
（７）射出成形機２００の表示装置１は、射出成形機２００を操作する操作者Ｍを識別する識別部２０をさらに備え、表示候補決定部１７は、識別された操作者Ｍごとに表示候補を決定する。これにより、より操作者Ｍの操作に即した表示候補を決定することができる。したがって、操作者Ｍにとってより操作の容易な射出成形機２００の表示装置１を提供することができる。
【００５３】
［第５実施形態］
次に、本発明の第５実施形態に係る射出成形機２００の表示装置１について、図７及び８を参照して説明する。第５実施形態の説明にあたって、前述の実施形態と同一の構成要件については同一符号を付し、その説明を省略もしくは簡略化する。
第５実施形態に係る射出成形機２００の表示装置１は、第２から第４実施形態の各実施形態を組み合わせた結果に基づいて機械学習することで、決定された表示結果を出力するものである。
すなわち、第５実施形態に係る射出成形機２００の表示装置１は、表示候補決定部１７が、集計部１６により集計された結果と、過去に集計部１６により集計された結果の履歴とに基づいて、次の遷移先を決定（予想）するとともに、決定された遷移先となる画面の候補を表示候補として決定する。また、第５実施形態に係る射出成形機２００の表示装置１では、動作情報取得部１３が予め設定された要求数の動作情報を取得した場合に、集計部１６が集計を開始する点で、第１から第４実施形態と異なる。また、第５実施形態に係る射出成形機２００の表示装置１では、表示候補決定部１７が、実際に表示した表示候補に対して実際に遷移した画面との間の正答率を計算する点で、第１から第４実施形態と異なる。また、第５実施形態に係る射出成形機２００の表示装置１は、正答率が所定の値よりも低い場合に、集計部１６が再度集計をする点で、第１から第４実施形態と異なる。
【００５４】
本実施形態に係る射出成形機２００の表示装置１の動作について、図７のフローチャートを参照して説明する。なお、本フローチャートは、図４に示されるフローチャートのステップＳ７からステップＳ９を変更するものである。
まず、ステップＳ１１において、表示候補決定部１７によって、複数の動作情報、運転状態、及び識別された操作者Ｍから表示候補を決定する決定モデルを作成するか否かが判断される。ここで、決定モデルとは、複数の動作情報、運転状態、及び識別された操作者Ｍに基づいて決定される次の表示候補となる画面の候補を決定するモデルである。決定モデルを作成する場合、処理は、ステップＳ１２に進む。一方、既に決定モデルが作成されており、決定モデルを改めて作成しない場合、処理は、ステップＳ１４に進む。
【００５５】
ステップＳ１２において、表示候補決定部１７は、予め定められた数の動作情報を取得して、決定モデルを作成する。表示候補決定部１７は、例えば、図８に示すように、特定の運転状態及び識別された操作者Ｍにおいて、画像の遷移順から次に遷移すると思われる画面を表示候補として決定する決定モデルを作成する。
【００５６】
次いで、表示候補決定部１７は、作成された決定モデルに基づいて実施されたテスト結果が評価される（ステップＳ１３）。評価（テスト）の結果、表示候補決定部１７が正しい画面を表示候補として決定できた場合、処理は、ステップＳ１４へ進む。一方、表示候補決定部１７が正しい画面を表示候補として決定できなかった場合、予め定められたデータ数が増やされるとともに、処理は、ステップＳ１２に戻る。
【００５７】
ステップＳ１４において、表示候補決定部１７は、作成された決定モデルに基づいて、表示候補を出力する。次いで、表示候補決定部１７は、入力部１１において実際に選択された画面と、表示候補として出力された画面との相違を判断する（ステップＳ１５）。所定数の表示候補の出力の後、実際に選択された画面との相違が所定の率を超える場合（正答率が所定の率を下回る場合）、処理は、ステップＳ１２に戻る。一方、相違が所定の率を超えない場合（正答率が所定の率の所定の範囲内の場合）、処理は、ステップＳ１６に進む。ステップＳ１６において、処理が継続される場合には、処理は、ステップＳ１４に戻る。その他の場合、処理は終了する。
【００５８】
以上の本実施形態に係る射出成形機２００の表示装置１によれば、以下の効果を奏する。
（８）表示候補決定部１７は、集計部１６により集計された結果と、過去に集計部１６により集計された結果の履歴とに基づいて次の遷移先を決定するとともに、決定された遷移先となる画面の候補を表示候補として決定する。これにより、過去の動作情報を含む複数の情報から、総合的に次に遷移する確率の高い画面を表示候補として出力することができる。したがって、より正答率の高い表示候補となる画面を決定することができ、作業者の労力を軽減することができる。
【００５９】
以上、本発明の射出成形機の表示装置の好ましい一実施形態につき説明したが、本発明は、上述の実施形態に制限されるものではなく、適宜変更が可能である。
例えば、上記実施形態において、複数の射出成形機２００の表示装置１において、決定された表示候補が共有されてもよい。一例として、複数の射出成形機２００の表示装置１は、表示候補を管理する管理サーバ（図示せず）に接続されてもよい。そして、射出成形機２００の表示装置１のそれぞれは、管理サーバから表示候補の提供を受けることで表示候補を決定してもよい。具体的には、表示候補決定部１７は、所定の画面に関する表示候補を管理サーバから取得してもよい。また、表示候補決定部１７は、識別部２０によって識別された操作者Ｍに関する表示候補を、管理サーバから取得するようにしてもよい。
【００６０】
また、上記実施形態において、表示部１００を３つの画面１０１，１０２，１０３として説明したが、これに制限されない。例えば、表示部１００は、１つの画面であってもよく、それ以上であってもよい。表示部１００は、射出成形機２００と別体で構成されていてもよく、一体で構成されていてもよい。
【符号の説明】
【００６１】
１  表示装置
１３  動作情報取得部
１６  集計部
１７  表示候補決定部
１８  表示制御部
１９  運転状態取得部
２０  識別部
１００  表示部
２００  射出成形機
Ｍ  操作者
【図１】
2020104395.tif 000003
【図２】
2020104395.tif 000004
【図３】
2020104395.tif 000005
【図４】
2020104395.tif 000006
【図５】
2020104395.tif 000007
【図６】
2020104395.tif 000008
【図７】
2020104395.tif 000009
【図８】
2020104395.tif 000010